(57)【要約】【課題】本発明の目的は、形状がコンパクトで、管路口への装着が容易で、装着作業が短時間で行えるインナーパイプの固定具を提供することにある。【解決手段】管路内に布設されるインナーパイプを管路口で固定するための固定具であって、前記管路口の周囲に沿って配設される環状板と、この環状板に装着され前記インナーパイプを保持するパイプホルダと、前記環状板に立設されその先端の係止部が前記管路口を構成するベルマウスの先深端またはこのベルマウスの先に延びる前記管路を構成する波付き管の波部に係止されるアームとを有することを特徴とする。【選択図】  図１
2004180474.tif 000002
【特許請求の範囲】
【請求項１】
管路内に布設されるインナーパイプを管路口で固定するための固定具であって、前記管路口の周囲に沿って配設される環状板と、この環状板に装着され前記インナーパイプを保持するパイプホルダと、前記環状板に立設されその先端の係止部が前記管路口を構成するベルマウスの先深端またはこのベルマウスの先に延びる前記管路を構成する波付き管の波部に係止されるアームとを有することを特徴とする管路口におけるインナーパイプの固定具。
【請求項２】
前記環状板は周方向の一部に前記インナーパイプが通過できる切欠部を有していることを特徴とする請求項１記載の管路口におけるインナーパイプの固定具。
【発明の詳細な説明】
【０００１】
【発明の属する技術分野】
本発明は、管路内に、例えば光ケーブル等のケーブル布設用インナーパイプを１本又は複数本布設する、いわゆるサブダクト法において、インナーパイプを管路口で固定するための固定具に関し、特に管路口への装着が容易な固定具に関するものである。
【０００２】
【従来の技術】
昨今、既存の管路では管路数が不足している場合、既設の管路内にインナーパイプを複数本収容する、いわゆるサブダクト法が採用されている。このように管路内に複数本のインナーパイプを布設するサブダクト法においては、大部分の作業を狭いハンドホール内あるいはマンホール内で行わねばならないこともあり、インナーパイプの固定具には、コンパクトでかつ簡単に管路口に装着できるものが求められている。
この種の固定具を本発明者らは既に提案しているが、既提案のものは主として埋設管路とインナーパイプの布設が設計段階で判明しているものについて適用するものであった（特許文献１）。
この既提案の固定具は、管路口においてベルマウスを取り外した後前記固定具（具体的には固定具を構成する環状板）を管路口の周囲に沿わせ、これをベルマウスを再度管路口に締め込んでいくことによりベルマウスと壁とで固定具を挟んで固定するものである。
【０００３】
特許文献１：特開平２００１−２１８３４７号公報
【０００４】
【発明が解決しようとする課題】
しかしながら、通常、埋設管路の管路口の処理は、マンホール内やハンドホール内の壁面からベルマウスが外れないようモルタル等でベルマウスの周囲を固めて仕上げるのが一般的になっている。そのため、ベルマウスを外して固定具（環状板）を装着できる場合は、極めて稀なケースに限られていた。
そこで前記既提案ではベルマウスが取り外せない場合に、固定具（環状板）を管路口に接着剤で固定する方法も提案しているが、この場合には、予め接着剤を用意する必要があること、また接着剤の種類によっては固まるまでに時間が掛かるものもあり、それだけ作業時間が余計掛かる、という問題もある。
特にこの種のマンホールあるいはハンドホールが交通量の多い地域にある場合には、長時間交通規制をすることは困難であるため、工事可能時間が限られていることから、作業時間が余計掛かる、ということは極めて大きな問題であった。
【０００５】
本発明は前記問題に鑑みなされたもので、その目的は、形状がコンパクトで、管路口への装着が容易で、装着作業が短時間で行えるインナーパイプの固定具を提供することにある。
【０００６】
【課題を解決するための手段】
前記目的を達成すべく本発明の管路口におけるインナーパイプの固定具は、管路内に布設されるインナーパイプを管路口で固定するための固定具であって、前記管路口の周囲に沿って配設される環状板と、この環状板に装着され前記インナーパイプを保持するパイプホルダと、前記環状板に立設されその先端の係止部が前記管路口を構成するベルマウスの先深端またはこのベルマウスの先に延びる前記管路を構成する波付き管の波部に係止されるアームとを有することを特徴とするものである。
【０００７】
このようにしてなる本発明の請求項１記載の管路口におけるインナーパイプの固定具は、環状板にパイプホルダを装着し、かつアームを立設せしめただけのコンパクトな形状であると共に、管路への装着に際しては、環状板から延びるアームを管路口から管路に差し込んで、アーム先端の係止部を管路口を構成するベルマウスの先深端またはこのベルマウスの先に延びる波付き管の波部に係止するだけで、最良の場合には固定具を管路に挿入するだけで、この固定具を管路口に装着することができる。それ故作業性が極めてよく、短時間で固定具の固定作業を行うことができる。
【０００８】
また本発明の請求項２記載の管路口におけるインナーパイプの固定具は、前記環状板は周方向の一部に前記インナーパイプが通過できる切欠部を有していることを特徴としている。
環状板に切欠部がないと、管路内に既設のインナーパイプがあった場合、環状板を管路口に取り付けることができない。しかしながら本発明の請求項２記載の固定具によれば、環状板がその周方向の一部に切欠部を有しているため、この切欠部を通して既設のインナーパイプを環状板内に取り込むことができる。よって仮に管路内に既設のインナーパイプがあったとしても、環状板を管路口に容易に装着することができる。
【０００９】
【発明の実施の形態】
図１及び図２に本発明の管路口におけるインナーパイプの固定具の一実施例を示す。ここで図１（ａ）は固定具の平面図、図１（ｂ）は正面図である。
図１において、符号１０は地中に埋設された管路の管路口、二点鎖線で示されている符号１２は管路内に布設されたインナーパイプ、符号１４はインナーパイプ１２の固定具を構成する環状板、符号１６はこの環状板１４に取り付けられインナーパイプ１２を保持するためのパイプホルダ、符号３０は前記環状板１４から管路口側に向けて立設されたアームで、その先端に係止部３１を有している。尚、この係止部３１は後述する前記管路口１０を構成するベルマウスの先深端またはこのベルマウスの先に延びる管路を構成する波付き管の波部に係止される。図１では図が煩雑になるためパイプホルダ１６は一個だけ示しているが、このパイプホルダ１６は管路内に布設されたインナーパイプ１２の本数分（図１では３本分）だけ設けられる。ここでインナーパイプ１２は通常波付き合成樹脂管か波付き金属管からなっている。
また管路口１０は後述する図４で示すようにベルマウスで構成され、該ベルマウスの先に、一般的に波付き管からなる管路が次のハンドホールへ向けて延びている。
【００１０】
以下に本発明の管路口におけるインナーパイプの固定具の特徴である環状板１４及びこれに装着されている部品について詳述する。この環状板１４は、例えば金属製の厚さ３ｍｍ程度のステンレス等からなる金属板でできており、管路口１０の内径より若干大きい内径を有していて、管路口１０の周囲に沿って取り付けられる。
また環状板１４にはその周方向の一部にインナーパイプ１２の外径より大きい幅の切欠部２０が設けられていて、もし管路内に既にインナーパイプ１２が、例えば１本布設されていたとしても、そのインナーパイプ１２をこの切欠部２０を通すことで、環状板１４内に取り込み、もって環状板１４を管路口１０に取り付けることが可能となる。もちろん、既存の管路に未だインナーパイプ１２が１本も布設されていない場合、すなわちこれから新規にインナーパイプ１２を布設しようとする管路に使用する場合には、この切欠部２０はなくともよい。
さらに環状板１４にはその周方向に適当な間隔をあけてパイプホルダ１６が設けられている。図１ではインナーパイプ１２が３個であるので、パイプホルダ１６も３個必要であるが、前述したように図の煩雑さを防ぐため１個のみ記載し、残りの２個は省略した。
【００１１】
このパイプホルダ１６を図２を用いて詳しく説明する。因みに図２（ａ）は図１に示したインナーパイプの固定具を構成するパイプホルダの、環状板１４に装着する前の状態を示す平面図、図２（ｂ）はその正面図、そして図２（ｃ）は端面図である。
さてパイプホルダ１６は、インナーパイプ１２の外周面に沿って屈曲可能で、その長さがインナーパイプ１２の外周長の半分の長さを有する帯状の当て部２２と、この当て部２２の両端から延びる可撓性のない１対のアーム部２４と、両アーム部２４の端部に形成された環状板１４への固定部２６とを有している。そして前記アーム部２４は、当て部２２から連続する帯状部２４ａと、この帯状部２４ａの一方の側縁から直角に折り立てられた断面Ｌ字形のリブ部２４ｂとからなっている。尚、アーム部２４の一部をこのように断面Ｌ字形にするのは、アーム部２４に剛性を持たせ、より曲がり難くするためである。またリブ２４ｂは後述するように、その内端部（当て部２２側の端部）がインナーパイプ１２の外周面の波形の谷部に落ち込む係止片となるものである。つまりリブ部２４ｂは、アーム部２４を曲がり難くする補強体としての機能と、インナーパイプ１２の軸線方向の移動を阻止する係止片としての機能の２つを兼ね備えている。
【００１２】
またリブ部２４ｂの外端部には、このリブ部２４ｂからさらに延びる「ねじ締め端子」のような形状の固定部２６が一体形成されている。ここで符号２７は固定部２６に設けられたねじ穴である。
以上のような形状のパイプホルダ１６は、例えば厚さ１ｍｍ程度のステンレス板の如き金属板からなり、金属板を板金加工することで簡単に製造することができる。
【００１３】
図２に示すパイプホルダ１６でインナーパイプ１２を固定する場合には、当て部２２を管路口１０に出ているインナーパイプ１２の外周面に沿って屈曲し、パイプホルダ１６全体を図１（ｂ）のように略Ｕ字形にして、両端の固定部２６をねじ穴２７が一致するように重ね合わせる。このときリブ部２４ｂがインナーパイプ１２の外周面の波形の谷部に落ち込むようにする。このあと固定部２６のねじ穴２７に止めねじ２８を通して締め付ける。
これによりパイプホルダ１６が環状板１４に固定され、インナーパイプ１２は径方向にも軸線方向にもその位置が固定された状態になる。
以下、このあとインナーパイプ１２を増設する場合には、既設のインナーパイプ１２及びパイプホルダ１６には全く手を加えることなく、前述した手順に従ってインナーパイプ１２をパイプホルダ１６により固定することにより増設工事を行うことができる。
【００１４】
次に環状板１４の管路口１０側に設けたアーム３０について図１及び図３により説明する。図１が示すように、環状板１４の管路口１０側にアーム３０が立設され、該アーム３０の先端は外方に折り曲げられて係止部３１が形成されている。このアーム３０の長さは管路口１０を構成しているベルマウスの長さより若干長くなっており、後述する図４で示すように、このアーム３０が管路口１０内に挿入されたとき、その先端の前記係止部３１がベルマウスの最深端に係止される長さになっている。図１ではアーム３０は２個であるが、例えば３個ないし４個設けてもよいし、逆に１個であってもよい場合もある。アーム３０を何個設けるかは、管路口１０の内径の大きさ、インナーパイプ１２の本数、あるいはアーム３０を構成する、例えばステンレス板の板厚等を考慮して決めればよい。
【００１５】
因みにこのアーム３０は、例えば厚さ１ｍｍのステンレス板を板金加工して得たが、ステンレス以外の金属板を用いることもできる。但し、好ましくは弾性に優れた金属板が好ましい。その理由は、図１ではアーム３０は環状板１４の表面にほぼ直角に延びているが、好ましくは多少外側に向くようにセットしておき、管路口１０内に挿入されるとき、その係止部３１の先端が管路口１０の内面を押圧しながら挿入されて行けば、係止部３１がベルマウスの最深端を越えた直後に、このベルマウスの最深端に係止部３１が確実に係止されるからである。
【００１６】
図３にアーム３０の先端に形成される係止部３１の種々の形状を示す。因みに図３はアーム３０の側面図である。図３（ａ）は、アーム３０に対してその先端をほぼ直角に折り曲げたもの、図３（ｂ）はＵの字状に折り曲げたもの、そして図３（ｃ）は板状のアーム３０の先端両縁を折り曲げたもので、これは先端部の剛性を強くし、長期にわたって曲げ形状が変化し難くなるように工夫したものである。すなわち長期間使用していると係止部３１の曲げが戻されて、係止部３１がベルマウスの最深端から外れる恐れがでてくるが、図３（ｃ）のようにして係止部３１の剛性を高めておけば、係止部３１の曲げが戻される可能性が小さくなり、もって長期間安定してこの固定具を使用することができる。
【００１７】
図４により本発明の管路口におけるインナーパイプの固定具を、管路口１０に固定した状態を示す。因みに図４（ａ）は固定具の正面図、図４（ｂ）はこの固定具を管路口１０に固定した状態を示す図４（ａ）のＸ−Ｘ’断面図である。
図４では管路口１０内に４本のインナーパイプ１２が固定されるようになっているが、ここでは１本のみ既設のインナーパイプ１２があると仮定して説明する。今実線で書かれた１本のインナーパイプ１２が既に管路口１０内に存在する。そこで環状板１４をアーム３０が管路口１０側を向くように手に持ち、その切欠部２０を介してインナーパイプ１２を環状板１４の内側に取り込む。
【００１８】
次に環状板１４の４本のアーム３０を、ベルマウス３４で構成されている管路口１０内に入れ、その先端の係止部３１が少なくともベルマウス３４の最深端３５を越える位置まで挿入する。図４で符号３２はコンクリート壁、符号５０は土砂、符号４０は管路口１０を構成するベルマウス３４に連続して延びる管路、そして符号３６はこの管路４０内に既に布設されているケーブルを示している。尚、管路４０は通常、合成樹脂製の波付き管が使用される。
【００１９】
４本のアーム３０をベルマウス３４の最深端３５の先まで挿入したら、管路口におけるインナーパイプの固定具１４の各ねじ穴１８に止めねじ２８をねじ込み、インナーパイプ１２の固定用に使用しない止めねじ２８を均等に締め込んでいく。その結果、止めねじ２８の先端がハンドホール等の内壁を押すため環状板１４が内壁から徐々に離れ、アーム３０の先端の係止部３１も管路口入り口側に引っ張られ、ベルマウス３４の最深端３５にしっかりと係止される。
【００２０】
もちろん、最初からアーム３０の長さをベルマウス３４の最深端３５までの長さに一致させておけば、アーム３０を管路１０内に挿入するだけで、ほぼ自動的に係止部３１がベルマウス３４の最深端３５に係止され、環状板１４を管路口１０に装着することもできる。
また、ベルマウス３４の先に延びる管路４０が図４（ｂ）のように矩形の波を有する波付き管からなる場合には、アーム３０の係止部３１をベルマウス３４の最深端３５ではなく、最深端３５近傍の管路４０の波部に係止させてもよい。特に管路口１０がベルマウス以外のもので構成されていて、ベルマウス３４の最深端３５に相当する箇所が管路口近傍に存在しない場合には、この方法は極めて有効である。
【００２１】
このようにして環状板１４を管路口１０の外周に沿って固定したら、図１及び図２の説明で詳述した手順に従って、インナーパイプ１２をパイプホルダ１６により固定する。
【００２２】
また図５は本発明の管路口におけるインナーパイプの固定具のさらに別の実施例の前後左右および上下から見た、いわゆる６面図である。
【００２３】
【発明の効果】
前述したように本発明の請求項１記載の管路口におけるインナーパイプの固定具は、環状板にパイプホルダを装着し、かつアームを立設せしめただけのコンパクトな形状であると共に、管路への装着に際しては、環状板から延びるアームを管路口から管路に差し込んで、アーム先端の係止部を管路口を構成するベルマウスの先深端またはこのベルマウスの先に延びる波付き管の波部に係止するだけで、最良の場合には固定具を管路に挿入するだけで、この固定具を管路口に装着できる。それ故作業性が極めてよく、短時間で固定具の装着作業を行うことができる。
【００２４】
また本発明の請求項２記載の管路口におけるインナーパイプの固定具は、前記環状板がその周方向の一部に前記インナーパイプが通過できる切欠部を有しているため、この切欠部を通して既設のインナーパイプを環状板内に取り込むことができる。よって仮に管路内に既設のインナーパイプがあったとしても、環状板を管路口に容易に装着することができる。
【図面の簡単な説明】
【図１】本発明の管路口におけるインナーパイプの固定具の一実施例を示す、（ａ）は平面図、（ｂ）は正面図である。
【図２】図１に示す本発明の管路口におけるインナーパイプの固定具を構成するパイプホルダの環状板装着前の状態を示す、（ａ）は平面図、（ｂ）は正面図、（ｃ）は端面図である。
【図３】本発明の管路口におけるインナーパイプの固定具を構成するアームの種々の実施例を示すもので、これらアームの環状板装着前の状態を示す一部側面図である。
【図４】本発明の管路口におけるインナーパイプの固定具の別の実施例を示す、（ａ）は平面図、（ｂ）は（ａ）の固定具を管路口に固定した状態を示す（ａ）のＸ−Ｘ’断面図である。
【図５】本発明の管路口におけるインナーパイプの固定具の第三の実施例の６面図で、（ａ）は平面図、（ｂ）は正面図、（ｃ）は背面図、（ｄ）は左側面図、（ｅ）は右側面図そして（ｆ）は（ａ）を裏側から見た図である。
【符号の説明】
１０  管路口
１２  インナーパイプ
１４  環状板
１６  パイプホルダ
３０  アーム
３１  係止部
３４  ベルマウス
３５  ベルマウスの最深端
【図１】
2004180474.tif 000003
【図２】
2004180474.tif 000004
【図３】
2004180474.tif 000005
【図４】
2004180474.tif 000006
【図５】
2004180474.tif 000007